【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
冷媒を減圧膨張させるノズル部（１４ａ）、前記ノズル部（１４ａ）から噴射する高い速度の冷媒流により冷媒が内部に吸引される冷媒吸引口（１４ｂ）、前記高い速度の冷媒流と前記冷媒吸引口（１４ｂ）の吸引冷媒とを混合する混合部（１４ｃ）、および前記混合部（１４ｃ）で混合した冷媒流の速度エネルギーを圧力エネルギーに変換する昇圧部（１４ｄ）を有するエジェクタ（１４）と、
前記エジェクタ（１４）の下流側に接続される第１蒸発器（１５）と、
前記冷媒吸引口（１４ｂ）に接続される第２蒸発器（１８）とを備え、
前記第１蒸発器（１５）および前記第２蒸発器（１８）は一体に構成され、共通の冷却対象空間（２１）に向かって送風される空気流れを冷却するようになっており、
前記第１蒸発器（１５）および前記第２蒸発器（１８）は、それぞれ、前記空気流れと複数の冷媒通路を流れる冷媒との間で熱交換を行う熱交換コア部（１５ａ、１８ａ）と、前記熱交換コア部（１５ａ、１８ａ）の複数の冷媒通路に対する冷媒の分配、集合の役割を果たすタンク部（１５ｂ、１５ｃ、１８ｂ、１８ｃ）とを有し、
前記エジェクタ（１４）の長手方向を前記タンク部（１５ｂ、１５ｃ、１８ｂ、１８ｃ）の長手方向と平行にして、前記エジェクタ（１４）を前記タンク部（１５ｂ、１５ｃ、１８ｂ、１８ｃ）に配置したことを特徴とする蒸発器構造。
【請求項２】
冷媒を減圧膨張させるノズル部（１４ａ）、前記ノズル部（１４ａ）から噴射する高い速度の冷媒流により冷媒が内部に吸引される冷媒吸引口（１４ｂ）、前記高い速度の冷媒流と前記冷媒吸引口（１４ｂ）の吸引冷媒とを混合する混合部（１４ｃ）、および前記混合部（１４ｃ）で混合した冷媒流の速度エネルギーを圧力エネルギーに変換する昇圧部（１４ｄ）を有するエジェクタ（１４）と、
前記エジェクタ（１４）の下流側に接続される第１蒸発器（１５）と、
前記冷媒吸引口（１４ｂ）に接続される第２蒸発器（１８）とを備え、
前記第１蒸発器（１５）および前記第２蒸発器（１８）は一体に構成され、共通の冷却対象空間（２１）に向かって送風される空気流れを冷却するようになっており、
前記第１蒸発器（１５）および前記第２蒸発器（１８）は、それぞれ、前記空気流れと複数の冷媒通路を流れる冷媒との間で熱交換を行う熱交換コア部（１５ａ、１８ａ）と、前記熱交換コア部（１５ａ、１８ａ）の複数の冷媒通路に対する冷媒の分配、集合の役割を果たすタンク部（１５ｂ、１５ｃ、１８ｂ、１８ｃ）とを有し、
前記熱交換コア部（１５ａ、１８ａ）は、前記空気流れの上流側に位置する空気上流側面と、前記空気流れの下流側に位置する空気下流側面と、前記空気上流側面および前記空気下流側面と直交する側面であって、前記タンク部（１５ｂ、１５ｃ、１８ｂ、１８ｃ）が配置されていない側面とを有し、
前記エジェクタ（１４）の長手方向を前記熱交換コア部（１５ａ、１８ａ）の前記側面の長手方向と平行にして、前記エジェクタ（１４）を前記熱交換コア部（１５ａ、１８ａ）の前記側面に配置したことを特徴とする蒸発器構造。
【請求項３】
冷媒を減圧膨張させるノズル部（１４ａ）、前記ノズル部（１４ａ）から噴射する高い速度の冷媒流により冷媒が内部に吸引される冷媒吸引口（１４ｂ）、前記高い速度の冷媒流と前記冷媒吸引口（１４ｂ）の吸引冷媒とを混合する混合部（１４ｃ）、および前記混合部（１４ｃ）で混合した冷媒流の速度エネルギーを圧力エネルギーに変換する昇圧部（１４ｄ）を有するエジェクタ（１４）と、
前記エジェクタ（１４）の下流側に接続される第１蒸発器（１５）と、
前記冷媒吸引口（１４ｂ）に接続される第２蒸発器（１８）とを備え、
前記第１蒸発器（１５）および前記第２蒸発器（１８）は一体に構成され、共通の冷却対象空間（２１）に向かって送風される空気流れを冷却するようになっており、
前記第１蒸発器（１５）および前記第２蒸発器（１８）は、それぞれ、前記空気流れと複数の冷媒通路を流れる冷媒との間で熱交換を行う熱交換コア部（１５ａ、１８ａ）と、前記熱交換コア部（１５ａ、１８ａ）の複数の冷媒通路に対する冷媒の分配、集合の役割を果たすタンク部（１５ｂ、１５ｃ、１８ｂ、１８ｃ）とを有し、
前記第１蒸発器（１５）の前記熱交換コア部（１５ａ）のうち前記タンク部（１５ｂ、１５ｃ）の長手方向の一方側に位置する第１領域に、前記エジェクタ（１４）から流出した冷媒が流れる上流側冷媒通路（ａ、ｉ）が形成され、
前記第１蒸発器（１５）の前記熱交換コア部（１５ａ）のうち前記タンク部（１５ｂ、１５ｃ）の長手方向の他方側に位置する第２領域に、前記上流側冷媒通路（ａ、ｉ）を通過した冷媒が前記上流側冷媒通路（ａ、ｉ）と逆方向に流れる下流側冷媒通路（ｃ、ｍ）が形成され、
前記第２蒸発器（１８）の前記熱交換コア部（１８ａ）のうち前記タンク部（１８ｂ、１８ｃ）の長手方向の一方側に位置する第１領域に、前記冷媒吸引口（１４ｂ）へ吸引される冷媒が流れる上流側冷媒通路（ｅ、ｐ）が形成され、
前記第２蒸発器（１８）の前記熱交換コア部（１８ａ）のうち前記タンク部（１８ｂ、１８ｃ）の長手方向の他方側に位置する第２領域に、前記上流側冷媒通路（ｅ、ｐ）を通過した冷媒が前記上流側冷媒通路（ｅ、ｐ）と逆方向に流れる下流側冷媒通路（ｇ、ｒ）が形成されることを特徴とする蒸発器構造。
【請求項４】
冷媒を減圧膨張させるノズル部（１４ａ）、前記ノズル部（１４ａ）から噴射する高い速度の冷媒流により冷媒が内部に吸引される冷媒吸引口（１４ｂ）、前記高い速度の冷媒流と前記冷媒吸引口（１４ｂ）の吸引冷媒とを混合する混合部（１４ｃ）、および前記混合部（１４ｃ）で混合した冷媒流の速度エネルギーを圧力エネルギーに変換する昇圧部（１４ｄ）を有するエジェクタ（１４）と、
前記エジェクタ（１４）の下流側に接続される第１蒸発器（１５）と、
前記冷媒吸引口（１４ｂ）に接続される第２蒸発器（１８）とを備え、
前記第１蒸発器（１５）および前記第２蒸発器（１８）は、互いに密着せず、所定の空隙を介して配置され、
前記第１蒸発器（１５）および前記第２蒸発器（１８）は、前記エジェクタ（１４）を経由する冷媒配管（１４０）によって接合された状態で一体に構成され、これにより、前記第１蒸発器（１５）および前記第２蒸発器（１８）は共通の冷却対象空間（２１）に向かって送風される空気流れを冷却するようになっていることを特徴とする蒸発器構造。
【請求項５】
前記第１蒸発器（１５）および前記第２蒸発器（１８）は、それぞれ、前記空気流れと複数の冷媒通路を流れる冷媒との間で熱交換を行う熱交換コア部（１５ａ、１８ａ）と、前記熱交換コア部（１５ａ、１８ａ）の複数の冷媒通路に対する冷媒の分配、集合の役割を果たすタンク部（１５ｂ、１５ｃ、１８ｂ、１８ｃ）とを有していることを特徴とする請求項４に記載の蒸発器構造。
【請求項６】
前記第１蒸発器（１５）および前記第２蒸発器（１８）の前記熱交換コア部（１５ａ、１８ａ）は、それぞれ前記冷媒通路を構成する複数のチューブ（２２）と前記複数のチューブ（２２）の外面側に接合され空気側伝熱面積を拡大する複数のフィン（２３）との積層構造からなり、
前記第１蒸発器（１５）および前記第２蒸発器（１８）の前記タンク部（１５ｂ、１５ｃ、１８ｂ、１８ｃ）は、それぞれ前記複数のチューブ（２２）の端部に接合され、前記複数のチューブ（２２）に対する冷媒の分配、集合の役割を果たすように構成され、
前記第１蒸発器（１５）および前記第２蒸発器（１８）の前記複数のチューブ（２２）、前記複数のフィン（２３）および前記タンク部（１５ｂ、１５ｃ、１８ｂ、１８ｃ）をろう付けにて一体構造に組み付けることを特徴とする請求項１、２、３、５のいずれか１つに記載の蒸発器構造。
【請求項７】
前記第１蒸発器（１５）および前記第２蒸発器（１８）は、前記空気流れ中に直列に配置され、前記空気流れの上流側に前記第１蒸発器（１５）が配置され、前記空気流れの下流側に前記第２蒸発器（１８）が配置されることを特徴とする請求項１ないし６のいずれか１つに記載の蒸発器構造。
【請求項８】
前記エジェクタ（１４）は、前記ノズル部（１４ａ）、前記混合部（１４ｃ）および前記昇圧部（１４ｄ）が一直線上に並んだ細長形状であることを特徴とする請求項１ないし７のいずれか１つに記載の蒸発器構造。
【請求項９】
冷媒を吸入し圧縮する圧縮機（１１）と、
前記圧縮機（１１）から吐出された高圧冷媒の放熱を行う放熱器（１３）と、
請求項１ないし８のいずれか１つに記載の蒸発器構造とを備えるエジェクタサイクルであって、
前記放熱器（１３）の冷媒流れ下流側に前記蒸発器構造のエジェクタ（１４）が設けられ、
前記エジェクタ（１４）の上流部から分岐され前記冷媒吸引口（１４ｂ）に至る冷媒分岐通路（１６）を有し、
前記冷媒分岐通路（１６）に絞り機構（１７）が設けられ、この絞り機構（１７）の下流側に前記第２蒸発器（１８）が設けられていることを特徴とするエジェクタサイクル。
【請求項１０】
冷媒を吸入し圧縮する圧縮機（１１）と、
前記圧縮機（１１）から吐出された高圧冷媒の放熱を行う放熱器（１３）と、
請求項１ないし８のいずれか１つに記載の蒸発器構造とを備えるエジェクタサイクルであって、
前記放熱器（１３）の冷媒流れ下流側に前記蒸発器構造のエジェクタ（１４）が設けられ、
前記第１蒸発器（１５）の冷媒流れ下流側に冷媒の気液を分離する気液分離器（３０）が設けられ、
前記気液分離器（３０）の気相冷媒出口側は前記圧縮機（１１）の吸入側に接続され、
前記気液分離器（３０）の液相冷媒出口側は冷媒分岐通路（３１）により前記冷媒吸引口（１４ｂ）に接続され、
前記冷媒分岐通路（３１）に絞り機構（１７）が設けられ、この絞り機構（１７）の下流側に前記第２蒸発器（１８）が設けられていることを特徴とするエジェクタサイクル。
【手続補正２】
【補正対象書類名】明細書
【補正対象項目名】発明の名称
【補正方法】変更
【補正の内容】
【発明の名称】蒸発器構造およびエジェクタサイクル
【手続補正３】
【補正対象書類名】明細書
【補正対象項目名】０００１
【補正方法】変更
【補正の内容】
【０００１】
本発明は、冷媒減圧手段の役割および冷媒循環手段の役割を果たすエジェクタと、複数の蒸発器とを有するエジェクタサイクル、およびエジェクタサイクルに用いる複数の蒸発器を一体化した蒸発器構造に関するもので、例えば、車両用空調装置、あるいは車載の荷物を冷凍、冷蔵する車両用冷凍装置等に適用して有効である。
【手続補正４】
【補正対象書類名】明細書
【補正対象項目名】０００８
【補正方法】変更
【補正の内容】
【０００８】
本発明は上記目的を達成するためなされたもので、請求項１に記載の発明では、冷媒を減圧膨張させるノズル部（１４ａ）、ノズル部（１４ａ）から噴射する高い速度の冷媒流により冷媒が内部に吸引される冷媒吸引口（１４ｂ）、ノズル部（１４ａ）からの高い速度の冷媒流と冷媒吸引口（１４ｂ）の吸引冷媒とを混合する混合部（１４ｃ）、および混合部（１４ｃ）で混合した冷媒流の速度エネルギーを圧力エネルギーに変換する昇圧部（１４ｄ）を有するエジェクタ（１４）と、
エジェクタ（１４）の下流側に接続される第１蒸発器（１５）と、
冷媒吸引口（１４ｂ）に接続される第２蒸発器（１８）とを備え、
第１蒸発器（１５）および第２蒸発器（１８）は一体に構成され、共通の冷却対象空間（２１）に向かって送風される空気流れを冷却するようになっており、
第１蒸発器（１５）および第２蒸発器（１８）は、それぞれ、空気流れと複数の冷媒通路を流れる冷媒との間で熱交換を行う熱交換コア部（１５ａ、１８ａ）と、熱交換コア部（１５ａ、１８ａ）の複数の冷媒通路に対する冷媒の分配、集合の役割を果たすタンク部（１５ｂ、１５ｃ、１８ｂ、１８ｃ）とを有し、
エジェクタ（１４）の長手方向をタンク部（１５ｂ、１５ｃ、１８ｂ、１８ｃ）の長手方向と平行にして、エジェクタ（１４）をタンク部（１５ｂ、１５ｃ、１８ｂ、１８ｃ）に配置した蒸発器構造を特徴としている。
【手続補正５】
【補正対象書類名】明細書
【補正対象項目名】０００９
【補正方法】変更
【補正の内容】
【０００９】
このようにエジェクタ下流側第１蒸発器（１５）とエジェクタ吸引側第２蒸発器（１８）とを一体に構成することにより、第１、第２蒸発器（１５、１８）を一体物として取り扱うことができる。このため、第１、第２蒸発器（１５、１８）の空気通路内への搭載作業が容易であるとともに、第１、第２蒸発器（１５、１８）の組み合わせを小型簡潔に構成できる。
特に、請求項１に記載の発明では、エジェクタ（１４）の長手方向をタンク部（１５ｂ、１５ｃ、１８ｂ、１８ｃ）の長手方向と平行にして、エジェクタ（１４）をタンク部（１５ｂ、１５ｃ、１８ｂ、１８ｃ）に配置しているから、エジェクタ（１４）をタンク部に沿って省スペースにて配置できる。このため、エジェクタ（１４）を含む第１、第２蒸発器（１５、１８）の外形状をコンパクトにまとめることができるとともに、エジェクタ（１４）と第１、第２蒸発器（１５、１８）との冷媒通路接続部を近接させることができ、冷媒通路接続を簡単に行うことができる。
【手続補正６】
【補正対象書類名】明細書
【補正対象項目名】００１１
【補正方法】変更
【補正の内容】
【００１１】
具体的には、第１蒸発器（１５）および第２蒸発器（１８）を、一連の構成として接合することができる。
【手続補正７】
【補正対象書類名】明細書
【補正対象項目名】００１２
【補正方法】変更
【補正の内容】
【００１２】
より具体的には、第１蒸発器（１５）および第２蒸発器（１８）をろう付けにより接合すれば、第１、第２蒸発器（１５、１８）を一体ろう付けにて効率よく製造できる。
【手続補正８】
【補正対象書類名】明細書
【補正対象項目名】００１３
【補正方法】変更
【補正の内容】
【００１３】
請求項２に記載の発明では、冷媒を減圧膨張させるノズル部（１４ａ）、ノズル部（１４ａ）から噴射する高い速度の冷媒流により冷媒が内部に吸引される冷媒吸引口（１４ｂ）、ノズル部（１４ａ）からの高い速度の冷媒流と冷媒吸引口（１４ｂ）の吸引冷媒とを混合する混合部（１４ｃ）、および混合部（１４ｃ）で混合した冷媒流の速度エネルギーを圧力エネルギーに変換する昇圧部（１４ｄ）を有するエジェクタ（１４）と、
エジェクタ（１４）の下流側に接続される第１蒸発器（１５）と、
冷媒吸引口（１４ｂ）に接続される第２蒸発器（１８）とを備え、
第１蒸発器（１５）および第２蒸発器（１８）は一体に構成され、共通の冷却対象空間（２１）に向かって送風される空気流れを冷却するようになっており、
第１蒸発器（１５）および第２蒸発器（１８）は、それぞれ、空気流れと複数の冷媒通路を流れる冷媒との間で熱交換を行う熱交換コア部（１５ａ、１８ａ）と、熱交換コア部（１５ａ、１８ａ）の複数の冷媒通路に対する冷媒の分配、集合の役割を果たすタンク部（１５ｂ、１５ｃ、１８ｂ、１８ｃ）とを有し、
熱交換コア部（１５ａ、１８ａ）は、空気流れの上流側に位置する空気上流側面と、空気流れの下流側に位置する空気下流側面と、空気上流側面および空気下流側面と直交する側面であって、タンク部（１５ｂ、１５ｃ、１８ｂ、１８ｃ）が配置されていない側面とを有し、
エジェクタ（１４）の長手方向を熱交換コア部（１５ａ、１８ａ）の側面の長手方向と平行にして、エジェクタ（１４）を熱交換コア部（１５ａ、１８ａ）の側面に配置した蒸発器構造を特徴としている。
これによると、請求項１と同様に、エジェクタ下流側第１蒸発器（１５）とエジェクタ吸引側第２蒸発器（１８）とを一体物として取り扱うことができるので、第１、第２蒸発器（１５、１８）の空気通路内への搭載作業が容易であるとともに、第１、第２蒸発器（１５、１８）の組み合わせを小型簡潔に構成できる。
また、請求項２に記載の発明では、エジェクタ（１４）の長手方向を熱交換コア部（１５ａ、１８ａ）の側面の長手方向と平行にして、エジェクタ（１４）を熱交換コア部（１５ａ、１８ａ）の側面に配置しているから、エジェクタ（１４）を熱交換コア部（１５ａ、１８ａ）の側面の長手方向に沿って省スペースにて配置できる。このため、エジェクタ（１４）を含む第１、第２蒸発器（１５、１８）の外形状をコンパクトにまとめることができるとともに、エジェクタ（１４）と第１、第２蒸発器（１５、１８）との冷媒通路接続部を近接させることができ、冷媒通路接続を簡単に行うことができる。
請求項３に記載の発明では、冷媒を減圧膨張させるノズル部（１４ａ）、ノズル部（１４ａ）から噴射する高い速度の冷媒流により冷媒が内部に吸引される冷媒吸引口（１４ｂ）、ノズル部（１４ａ）からの高い速度の冷媒流と冷媒吸引口（１４ｂ）の吸引冷媒とを混合する混合部（１４ｃ）、および混合部（１４ｃ）で混合した冷媒流の速度エネルギーを圧力エネルギーに変換する昇圧部（１４ｄ）を有するエジェクタ（１４）と、
エジェクタ（１４）の下流側に接続される第１蒸発器（１５）と、
冷媒吸引口（１４ｂ）に接続される第２蒸発器（１８）とを備え、
第１蒸発器（１５）および第２蒸発器（１８）は一体に構成され、共通の冷却対象空間（２１）に向かって送風される空気流れを冷却するようになっており、
第１蒸発器（１５）および第２蒸発器（１８）は、それぞれ、空気流れと複数の冷媒通路を流れる冷媒との間で熱交換を行う熱交換コア部（１５ａ、１８ａ）と、熱交換コア部（１５ａ、１８ａ）の複数の冷媒通路に対する冷媒の分配、集合の役割を果たすタンク部（１５ｂ、１５ｃ、１８ｂ、１８ｃ）とを有し、
第１蒸発器（１５）の熱交換コア部（１５ａ）のうちタンク部（１５ｂ、１５ｃ）の長手方向の一方側に位置する第１領域に、エジェクタ（１４）から流出した冷媒が流れる上流側冷媒通路（ａ、ｉ）が形成され、
第１蒸発器（１５）の熱交換コア部（１５ａ）のうちタンク部（１５ｂ、１５ｃ）の長手方向の他方側に位置する第２領域に、上流側冷媒通路（ａ、ｉ）を通過した冷媒が上流側冷媒通路（ａ、ｉ）と逆方向に流れる下流側冷媒通路（ｃ、ｍ）が形成され、
第２蒸発器（１８）の熱交換コア部（１８ａ）のうちタンク部（１８ｂ、１８ｃ）の長手方向の一方側に位置する第１領域に、冷媒吸引口（１４ｂ）へ吸引される冷媒が流れる上流側冷媒通路（ｅ、ｐ）が形成され、
第２蒸発器（１８）の熱交換コア部（１８ａ）のうちタンク部（１８ｂ、１８ｃ）の長手方向の他方側に位置する第２領域に、上流側冷媒通路（ｅ、ｐ）を通過した冷媒が上流側冷媒通路（ｅ、ｐ）と逆方向に流れる下流側冷媒通路（ｇ、ｒ）が形成される蒸発器構造を特徴としている。
これによると、請求項１、２と同様に、エジェクタ下流側第１蒸発器（１５）とエジェクタ吸引側第２蒸発器（１８）とを一体物として取り扱うことができるので、第１、第２蒸発器（１５、１８）の空気通路内への搭載作業が容易であるとともに、第１、第２蒸発器（１５、１８）の組み合わせを小型簡潔に構成できる。
また、請求項４に記載の発明では、冷媒を減圧膨張させるノズル部（１４ａ）、ノズル部（１４ａ）から噴射する高い速度の冷媒流により冷媒が内部に吸引される冷媒吸引口（１４ｂ）、ノズル部（１４ａ）からの高い速度の冷媒流と冷媒吸引口（１４ｂ）の吸引冷媒とを混合する混合部（１４ｃ）、および混合部（１４ｃ）で混合した冷媒流の速度エネルギーを圧力エネルギーに変換する昇圧部（１４ｄ）を有するエジェクタ（１４）と、
エジェクタ（１４）の下流側に接続される第１蒸発器（１５）と、
冷媒吸引口（１４ｂ）に接続される第２蒸発器（１８）とを備え、
第１蒸発器（１５）および第２蒸発器（１８）は、互いに密着せず、所定の空隙を介して配置され、
第１蒸発器（１５）および第２蒸発器（１８）は、エジェクタ（１４）を経由する冷媒配管（１４０）によって接合された状態で一体に構成され、これにより、第１蒸発器（１５）および前記第２蒸発器（１８）は共通の冷却対象空間（２１）に向かって送風される空気流れを冷却するようになっている蒸発器構造を特徴としている。
このように、第１蒸発器（１５）および第２蒸発器（１８）を、エジェクタ（１４）を経由する冷媒配管（１４０）によって接合してもよい。ここで、冷媒配管（１４０）を介在する「一体構成」とは、図６に示すように第１、第２蒸発器（１５、１８）が密着せず、所定の空隙を介して一体化される構造を包含し、かつ、第１、第２蒸発器（１５、１８）が冷媒配管（１４０）により分解不能な状態に一体結合されていることを意味している。
請求項４に記載の発明においても、請求項１〜３と同様に、エジェクタ下流側第１蒸発器（１５）とエジェクタ吸引側第２蒸発器（１８）とを一体物として取り扱うことができるので、第１、第２蒸発器（１５、１８）の空気通路内への搭載作業が容易であるとともに、第１、第２蒸発器（１５、１８）の組み合わせを小型簡潔に構成できる。
【手続補正９】
【補正対象書類名】明細書
【補正対象項目名】００１４
【補正方法】変更
【補正の内容】
【００１４】
請求項５に記載の発明では、請求項４に記載の蒸発器構造において、第１蒸発器（１５）および第２蒸発器（１８）は、それぞれ、空気流れと複数の冷媒通路を流れる冷媒との間で熱交換を行う熱交換コア部（１５ａ、１８ａ）と、熱交換コア部（１５ａ、１８ａ）の複数の冷媒通路に対する冷媒の分配、集合の役割を果たすタンク部（１５ｂ、１５ｃ、１８ｂ、１８ｃ）とを有していることを特徴とする。
請求項６に記載の発明では、請求項１、２、３、５のいずれか１つに記載の蒸発器構造において、第１蒸発器（１５）および第２蒸発器（１８）の熱交換コア部（１５ａ、１８ａ）は、それぞれ冷媒通路を構成する複数のチューブ（２２）と複数のチューブ（２２）の外面側に接合され空気側伝熱面積を拡大する複数のフィン（２３）との積層構造からなり、
第１蒸発器（１５）および第２蒸発器（１８）のタンク部（１５ｂ、１５ｃ、１８ｂ、１８ｃ）は、それぞれ複数のチューブ（２２）の端部に接合され、複数のチューブ（２２）に対する冷媒の分配、集合の役割を果たすように構成され、
第１蒸発器（１５）および第２蒸発器（１８）の複数のチューブ（２２）、複数のフィン（２３）およびタンク部（１５ｂ、１５ｃ、１８ｂ、１８ｃ）をろう付けにて一体構造に組み付けることを特徴とする。
これによると、ろう付けにより第１、第２蒸発器（１５、１８）の一体構造を効率よく製造できる。
【手続補正１０】
【補正対象書類名】明細書
【補正対象項目名】００１５
【補正方法】変更
【補正の内容】
【００１５】
請求項７に記載の発明では、請求項１ないし６のいずれか１つに記載の蒸発器構造において、第１蒸発器（１５）および第２蒸発器（１８）は、空気流れ中に直列に配置され、
空気流れの上流側に第１蒸発器（１５）が配置され、空気流れの下流側に第２蒸発器（１８）が配置されることを特徴とする。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
請求項８に記載の発明では、請求項１ないし７のいずれか１つに記載の蒸発器構造において、エジェクタ（１４）は、ノズル部（１４ａ）、混合部（１４ｃ）および昇圧部（１４ｄ）が一直線上に並んだ細長形状であることを特徴とする。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
請求項９に記載の発明では、冷媒を吸入し圧縮する圧縮機（１１）と、
圧縮機（１１）から吐出された高圧冷媒の放熱を行う放熱器（１３）と、
請求項１ないし８のいずれか１つに記載の蒸発器構造とを備えるエジェクタサイクルであって、
放熱器（１３）の冷媒流れ下流側に前記蒸発器構造のエジェクタ（１４）が設けられ、
エジェクタ（１４）の上流部から分岐され冷媒吸引口（１４ｂ）に至る冷媒分岐通路（１６）を有し、
この冷媒分岐通路（１６）に絞り機構（１７）を設け、この絞り機構（１７）の下流側に第２蒸発器（１８）を設けることを特徴とする。
【手続補正１９】
【補正対象書類名】明細書
【補正対象項目名】００２７
【補正方法】変更
【補正の内容】
【００２７】
請求項１０に記載の発明のように、冷媒を吸入し圧縮する圧縮機（１１）と、
圧縮機（１１）から吐出された高圧冷媒の放熱を行う放熱器（１３）と、
請求項１ないし８のいずれか１つに記載の蒸発器構造とを備えるエジェクタサイクルであって、
放熱器（１３）の冷媒流れ下流側に前記蒸発器構造のエジェクタ（１４）が設けられ、
第１蒸発器（１５）の冷媒流れ下流側に冷媒の気液を分離する気液分離器（３０）を設け、
この気液分離器（３０）の気相冷媒出口側を圧縮機（１１）の吸入側に接続し、
気液分離器（３０）の液相冷媒出口側は冷媒分岐通路（３１）により冷媒吸引口（１４ｂ）に接続し、
冷媒分岐通路（３１）に絞り機構（１７）を設け、この絞り機構（１７）の下流側に第２蒸発器（１８）を設けてもよい。